(57)【特許請求の範囲】
【請求項１】
硬質合成樹脂製の支持体と、この支持体に嵌装されるクッション体とで構成され、
前記支持体は座部を支持する座部支持部と背もたれ部を支持する背もたれ支持部とを有し、
前記クッション体は座部下面に前記支持体の座部支持部に嵌装される凹部を有し、背もたれ部の下面から上部に亘り前記支持体の背もたれ支持部に嵌装される溝を有し、
前記クッション体の凹部を支持体の座部支持部に、クッション体の溝を支持体の背もたれ支持部にそれぞれ嵌装固定した、ソファー
【請求項２】
支持体は、座部支持部の下縁にフランジを有し、このフランジの周縁に立ち上がり部を有し、座部は下面に前記立ち上がり部に嵌合する溝を有し、
前記立ち上がり部にクッション体の溝が嵌合した、
請求項１記載のソファー
【請求項３】
硬質合成樹脂製の支持体と、この支持体に嵌装されるクッション体とで構成され、
座部を支持する座部支持部と背もたれ部を支持する背もたれ支持部とを有する硬質合成樹脂製の支持体の前記座部支持部に、座部下面に前記支持体の座部支持部に嵌装される凹部を有するクッション体の座部を嵌装し、次いで前記背もたれ支持部に下面から上部に亘り前記支持体の背もたれ支持部に嵌装される溝を有するクッション体の背もたれ部を嵌装することを特徴とする、
ソファーの製造方法
【発明の詳細な説明】
【技術分野】
【０００１】
この発明はソファー及びその製造方法に関するものである。
【背景技術】
【０００２】
従来、バネ機構を用いずに発泡ポリウレタンなどのクッション性を有する合成樹脂やゴム素材を用いて座部及び背もたれを構成したソファーは知られている。
しかしながら、クッション性を有する素材のみでソファーを構成した場合、特に背もたれ部分の保形成に難があり、長期間の使用により背もたれ部分が変形し易いという問題点がある。
【特許文献１】特開２０００−３５０６３９号公報
【０００３】
上記特許文献に開示された発明は、上記問題点を解決するための提案であって、クッション体の背もたれ部の裏面近傍に補強板を挿入したものである。
しかしながら、この発明においては補強板を立設保持するための配慮が払われておらず、長期間の使用に適したものとはいえない。また、クッション体の座部と背もたれ部とは一体成型されるものであって、成型用の型が大型となりコストも嵩む。
【発明の開示】
【発明が解決しようとする課題】
【０００４】
この発明は、上記発明における補強板を立設保持するための構成を備え、長期間の使用においてもクッション体の背もたれ部が変形しないようにすることを第一の課題とし、クッション体の座部と背もたれ部とを別部材として製造コストを軽減することを第二の課題とするものである。
【課題を解決するための手段】
【０００５】
この発明のソファーは硬質合成樹脂製の支持体と、この支持体に嵌装されるクッション体とで構成されている。
前記支持体は座部を支持する座部支持部と背もたれ部を支持する背もたれ支持部とを有し、前記クッション体は座部下面に前記支持体の座部支持部に嵌装される凹部を設け、背もたれ部の下面から上部に亘り前記支持体の背もたれ支持部に嵌装される溝を設け、前記クッション体の凹部を支持体の座部支持部に、クッション体の溝を支持体の背もたれ支持部にそれぞれ嵌装固定してある。
前記支持体は、座部支持部の下縁にフランジを形成し、このフランジの周縁に立ち上がり部を形成し、座部の下面に前記立ち上がり部に嵌合する溝を設け、前記立ち上がり部にクッション体の溝を嵌合させることが好ましい（請求項２）。
【０００６】
前記支持体は、実施形態に示すように座部支持部と背もたれ支持部とを別体として構成することが製造上好ましいが、一体ものとして構成することもできる。また、クッション体も同様に座部と背もたれ部とを別体として構成することが製造上好ましいが、一体ものとして構成することもできる。
【０００７】
請求項３の発明は、硬質合成樹脂製の支持体と、この支持体に嵌装されるクッション体とで構成される請求項１の発明の製造方法であり、座部を支持する座部支持部と背もたれ部を支持する背もたれ支持部とを有する硬質合成樹脂製の支持体の前記座部支持部に、座部下面に前記支持体の座部支持部に嵌装される凹部を有するクッション体の座部を嵌装し、次いで前記背もたれ支持部に下面から上部に亘り前記支持体の背もたれ支持部に嵌装される溝を有するクッション体の背もたれ部を嵌装することを特徴とするものである。
【発明の効果】
【０００８】
この発明によれば、支持体は座部支持部と背もたれ支持部とを備えているので、背もたれ支持部は座部支持部によって立設保持される。したがって、長期間の使用においても背もたれ支持部が変形するおそれがなく、背もたれの変形も回避できる。
また、この発明の製造方法によれば、支持体にクッション体を嵌め込むという簡便作業により、クッション体の支持構造を有するソファーを製造することができる。
【発明を実施するための最良の形態】
【０００９】
支持体１は、ポリプロピレン製であり、座部支持部２に背もたれ支持部３を取り付けて構成してある。
前記座部支持部２は、扁平直方体とした台座４の隣接する２つの縁に沿って、背もたれ支持部３を取り付けるための受け溝５が３つ並設してある。そして、前記台座４の周面下縁にはフランジ６が全周に亘り形成してあり、フランジ６の外縁には全周に亘り立ち上がり部７が形成してある。
前記背もたれ支持部２は、やや湾曲した平板状であって、下部には前記受け溝５に嵌る凸部８が３つ形成してある。また、縦方向に補強リブ９が形成してある。
上記のように構成された座部支持部２の受け溝５に背もたれ支持部３の凸部８を嵌合させて支持体１を構成する。
コーナー用のソファーを得る場合には、前記台座４の未使用の縁に形成した受け溝５にも背もたれ支持部３を取り付けることにより、鈎状に背もたれが備えられたソファーとすることができる。
【００１０】
クッション体１１は発泡ポリウレタン製であって、一人用の座部１２と背もたれ部１３とで構成してある。
前記座部１２は底部に前記座部支持部２の台座３に嵌る凹部１４が形成してあり、この凹部１４の後部に前記背もたれ支持部３に嵌る横長の溝１５が上下貫通して形成してある。また、座部１２の底面外周部には、前記座部支持部１２に形成された立ち上がり部６が装着される細溝１６が環状に形成してある。
座部１２の表面後部は背もたれ部１３と安定して当接するように水平な平面としてある。図中符号１８はアームレストである。
前記背もたれ部１３の幅ほぼ中央部には、下面から上部に亘り、前記背もたれ支持部３に嵌る溝１７が形成してある。
【００１１】
上記のように構成された支持体１とクッション体１１を用いてソファーを組み立てる手順は以下のとおりである。
初めに 座部支持部２の台座４に形成された受け溝５に背もたれ支持部３の凸部８を嵌装して支持体１を構成する。次いで、クッション体１１の座部１２を、その溝１５を前記背もたれ支持部３に嵌め込みつつ下方に押し込み、座部１２の下面に形成された凹部１４を台座４に嵌装し、更に座部１２の下面に形成された細溝１６を座部支持部２に形成された立ち上がり部７に押し込む。
次いで、背もたれ部１３をその溝１７を前記背もたれ支持部３に嵌め込みつつ下方に押し込み、その下面を前記座部１２の後部表面に当接させる。
【００１２】
上記のように構成されたソファーは、支持体１の台座３にクッション体１１の座部裏面の凹部１４が密に嵌合しており、かつ支持体１の立ち上がり部７に座部裏面の細溝１６が密に嵌合しており、加えて支持体１の背もたれ支持部３に背もたれ部１３が密に嵌合しているので、全体が強く結合して一体化され、一度組み立てた後には容易に分解することがない。
【００１３】
上記においては一人用のソファーとして構成したが、支持体１を複数並列させ、クッション体１１を複数人用の大きさのものとすることにより、二人がけないし数人がけ用のソファーとすることができる。
【産業上の利用可能性】
【００１４】
この発明は、座部支持部と背もたれ支持部とを一体化してあるので、背もたれ支持部が安定する。したがって、クッション体の背もたれの変形を未然に防止することができる。そして、支持体にクッション体を嵌め込むだけで組立が完了するので、組み立て作業は極めて容易なものであり、産業上の利用可能性を有するものである。
【図面の簡単な説明】
【００１５】
【図１】この発明実施形態の透視斜視図
【図２】同じく支持体の分解斜視図
【図３】同じくクッション体の分解斜視図
【図４】同じくクッション体の縦断面図
【図５】同じくクッション体の底部横断面図
【符号の説明】
【００１６】
１    支持体
２    座部支持部
３    背もたれ支持部
４    台座
５    受け溝
６    フランジ
７    立ち上がり部
８    凸部
９    補強リブ
１１  クッション体
１２  座部
１３  背もたれ部
１４  凹部
１５  溝
１６  細溝
１７  溝
１８  アームレスト
【図１】
0004722618.tif 000002
【図３】
0004722618.tif 000003
【図４】
0004722618.tif 000004
【図５】
0004722618.tif 000005
【図２】
0004722618.tif 000006